【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
可変数の制御フィールドから、フレームに含めるための１つまたは複数の制御フィールドを選択することと、
前記選択された数の制御フィールドを備える前記フレームを生成することと、
前記フレームを送信することと、
を備え、ここにおいて、各制御フィールドは、
制御識別子フィールドと、
制御情報フィールドと、前記制御情報フィールドは、通信のための情報を含み、前記制御識別子フィールドは、前記情報のタイプを指示するインジケータを含む、
をさらに備え、
ここにおいて、前記制御識別子フィールドは、トリガ情報を指示し、ここにおいて、前記制御情報フィールドは、トリガ情報フィールドを備える、または、
ここにおいて、前記制御識別子フィールドは、バッファ状態（ＢＳ）要求またはＢＳ報告を指示し、および、ここにおいて、前記制御情報フィールドは、バッファ状態情報に対する要求またはバッファ状態情報についての報告を包含する１つまたは複数のサブフィールドを備える、
方法。
【請求項２】
各制御フィールドは、第１のフィールドをさらに備え、前記第１のフィールドは、前記制御フィールドのバリアント（variant）を備える前記制御フィールドを指示するインジケータを記憶し、前記バリアントは、好ましくは、前記制御フィールドの超ハイ・スループット（ＶＨＴ）バリアントの高効率（ＨＥ）バリアントを備える、請求項１に記載の方法。
【請求項３】
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて前記フィードバック・フィールドのコンテンツは、前記チャネル／ＭＣＳ指示フィールドに基づき、ここにおいて前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて前記制御情報フィールドは、ＣＲＣフィールドを備える、
のうちの少なくとも１つを指示する、請求項１に記載の方法。
【請求項４】
前記フレームを生成することは、
物理レイヤ・コンバージェンス・プロシージャ（ＰＬＣＰ）プロトコル・データ・ユニット（ＰＰＤＵ）フレームの物理レイヤ・ヘッダ部分内で前記フレームを生成すること、ここにおいて前記物理レイヤ・ヘッダ部分は、信号フィールド、ロング・トレーニング・フィールドおよびショート・トレーニング・フィールドのうちの１つまたは複数を備える、または、
前記１つまたは複数の制御フィールドを包含するアグリゲートされたメディア・アクセス制御プロトコル・データ・ユニット（Ａ−ＭＰＤＵ）サブフレーム内で前記フレームを生成すること
を備える、請求項１に記載の方法。
【請求項５】
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、請求項１に記載の方法。
【請求項６】
前記トリガ情報フィールドは、局に関わるサブチャネル情報を指示するか、圧縮または非圧縮のアップリンク媒体アクセス制御（ＭＡＣ）フォーマットを指示する、請求項１に記載の方法。
【請求項７】
前記選択された数の制御フィールドは、第１のデバイスに宛てられた１つまたは複数の第１の制御フィールドおよび第２のデバイスに宛てられた１つまたは複数の第２の制御フィールドを備える、請求項１に記載の方法。
【請求項８】
前記１つまたは複数の第１の制御フィールドおよび前記１つまたは複数の第２の制御フィールドは、コード、周波数、または時間において多重化される、請求項１に記載の方法。
【請求項９】
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、または、前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、請求項１に記載の方法。
【請求項１０】
前記制御識別子フィールドは、アップリンク（ＵＬ）マルチユーザ（ＭＵ）応答スケジューリングを指示し、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含み、ここにおいて、
前記制御情報フィールドは、好ましくは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、
請求項１に記載の方法。
【請求項１１】
前記フレームは、１つまたは複数の制御フィールドの長さが長さ要件または境界要件を満たすように前記１つまたは複数の制御フィールドに後続するパディング・フィールドをさらに備え、ここにおいて、
前記長さ要件は、好ましくは、３０ビットであり、前記境界要件は、好ましくは、オクテットの倍数である、
請求項１に記載の方法。
【請求項１２】
前記フレームは、
マルチプル局ブロック肯定応答（ＢＡ）フレーム
トリガ・フレーム、または、
前記ＡＩＤフィールドのその値に後続する１つまたは複数の制御フィールドの前記存在を指示している前記ＡＩＤフィールドの値、ここにおいて、前記ＡＩＤフィールドの前記値は、好ましくは、２０４７である、
を備える、請求項１に記載の方法。
【請求項１３】
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示し、ここにおいて、前記ＡＩＤごとのＴＩＤ情報フィールドは、好ましくは、
前記選択された数の制御フィールドに関わる複数のバイトを指示するタイプ・フィールド、または、
前記ＡＩＤごとのＴＩＤ情報フィールドの前記ＡＩＤサブフィールドによって識別される前記ＳＴＡのための１つまたは複数の制御フィールドの前記存在を指示する前記ＴＩＤサブフィールドの値
を備える、請求項１に記載の方法。
【請求項１４】
ワイヤレス・ネットワークにおいて通信するためのデバイスであって、
可変数の制御フィールドから、フレームに含めるための１つまたは複数の制御フィールドを選択するための手段と、
前記選択された数の制御フィールドを備える前記フレームを生成するための手段と、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信するための手段と、
を備え、ここにおいて、各制御フィールドは、
制御識別子フィールドと、
制御情報フィールドと、前記制御情報フィールドは、通信のための情報を含み、前記制御識別子フィールドは、前記情報のタイプを指示するインジケータを含む、
をさらに備え、
ここにおいて、前記制御識別子フィールドは、トリガ情報を指示し、前記制御情報フィールドは、トリガ情報フィールドを備える、または、
ここにおいて、前記制御識別子フィールドは、バッファ状態（ＢＳ）要求またはＢＳ報告を指示し、および、ここにおいて、前記制御情報フィールドは、バッファ状態情報に対する要求またはバッファ状態情報についての報告を包含する１つまたは複数のサブフィールドを備える、
デバイス。
【請求項１５】
プロセッサによって実行されるとき、前記プロセッサに、請求項１−１３のうちのいずれか一項に記載の方法を実施するための実施させる命令を備えるコンピュータプログラム製品。
【手続補正２】
【補正対象書類名】明細書
【補正対象項目名】００９７
【補正方法】変更
【補正の内容】
【００９７】
[0127]  同様に、動作が特定の順序で図面に図示されているが、このことは、そのような動作が、所望の結果を達成するために、示された特定の順序または連続した順序で行われること、またはすべての例示された動作が行われることを必要とするものとして理解されるべきではない。特定の状況では、マルチタスクおよび並行処理が、有効となり得る。さらに、上述されたインプリメンテーションにおけるさまざまなシステムコンポーネントの分離が、すべてのインプリメンテーションにおいてそのような分離を必要とするものとして理解されるべきではなく、説明されたプログラム・コンポーネントおよびシステムが、一般に、単一のソフトウェア製品に共に一体化され、または複数のソフトウェア製品にパッケージ化されることができると理解されるべきである。加えて、他のインプリメンテーションは、下記の特許請求の範囲内にある。いくつかの場合では、請求項に記載されている動作は、異なる順番で実施されることができ、それでも所望の結果を得ることができる。
以下に本願発明の当初の特許請求の範囲に記載された発明を付記する。
［Ｃ１］
ワイヤレス通信の方法であって、
可変数の制御フィールドから、フレームに含めるための１つまたは複数の制御フィールドを選択することと、
前記選択された数の制御フィールドを備える前記フレームを生成することと、
前記フレームを送信することと、
を備える、方法。
［Ｃ２］
各制御フィールドは、第１のフィールドをさらに備え、前記第１のフィールドは、前記制御フィールドのバリアント（variant）を備える前記制御フィールドを指示するインジケータを記憶する、Ｃ１に記載の方法。
［Ｃ３］
前記バリアントは、前記制御フィールドの超ハイ・スループット（ＶＨＴ）バリアントの高効率（ＨＥ）バリアントを備える、Ｃ２に記載の方法。
［Ｃ４］
各制御フィールドは、
制御識別子フィールドと、
制御情報フィールドと、をさらに備え、前記制御情報フィールドは、通信のための情報を含み、前記制御識別子フィールドは、前記情報のタイプを指示するインジケータを含む、Ｃ１に記載の方法。
［Ｃ５］
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて前記フィードバック・フィールドのコンテンツは、前記チャネル／ＭＣＳ指示フィールドに基づき、ここにおいて前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて制御情報フィールドは、ＣＲＣフィールドを備える、
のうちの少なくとも１つを指示する、Ｃ４に記載の方法。
［Ｃ６］
前記フレームを生成することは、物理レイヤ・コンバージェンス・プロシージャ（ＰＬＣＰ）プロトコル・データ・ユニット（ＰＰＤＵ）フレームの物理レイヤ・ヘッダ部分内で前記フレームを生成することを備え、ここにおいて前記物理レイヤ・ヘッダ部分は、信号フィールド、ロング・トレーニング・フィールドおよびショート・トレーニング・フィールドのうちの１つまたは複数を備える、Ｃ１に記載の方法。
［Ｃ７］
前記フレームを生成することは、前記１つまたは複数の制御フィールドを包含するアグリゲートされたメディア・アクセス制御プロトコル・データ・ユニット（Ａ−ＭＰＤＵ）サブフレーム内で前記フレームを生成することを備える、Ｃ１に記載の方法。
［Ｃ８］
前記制御識別子フィールドは、バッファ状態（ＢＳ）要求またはＢＳ報告を指示し、ここにおいて前記制御情報フィールドは、バッファ状態情報に対する要求またはバッファ状態情報についての報告を包含する１つまたは複数のサブフィールドを備える、Ｃ４に記載の方法。
［Ｃ９］
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、Ｃ８に記載の方法。
［Ｃ１０］
前記制御識別子フィールドは、トリガ情報を指示し、ここにおいて、前記制御情報フィールドは、トリガ情報フィールドを備える、Ｃ４に記載の方法。
［Ｃ１１］
前記トリガ情報フィールドは、局に関わるサブチャネル情報を指示するか、圧縮または非圧縮のアップリンク媒体アクセス制御（ＭＡＣ）フォーマットを指示する、Ｃ１０に記載の方法。
［Ｃ１２］
前記選択された数の制御フィールドは、第１のデバイスに宛てられた１つまたは複数の第１の制御フィールドおよび第２のデバイスに宛てられた１つまたは複数の第２の制御フィールドを備える、Ｃ１に記載の方法。
［Ｃ１３］
前記１つまたは複数の第１の制御フィールドおよび前記１つまたは複数の第２の制御フィールドは、コード、周波数、または時間において多重化される、Ｃ１に記載の方法。
［Ｃ１４］
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ１に記載の方法。
［Ｃ１５］
前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ１に記載の方法。
［Ｃ１６］
前記制御識別子フィールドは、アップリンク（ＵＬ）マルチユーザ（ＭＵ）応答スケジューリングを指示し、ここにおいて、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含む、Ｃ４に記載の方法。
［Ｃ１７］
前記制御情報フィールドは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、Ｃ１６に記載の方法。
［Ｃ１８］
前記フレームは、１つまたは複数の制御フィールドの長さが長さ要件または境界要件を満たすように前記１つまたは複数の制御フィールドに後続するパディング・フィールドをさらに備える、Ｃ１に記載の方法。
［Ｃ１９］
前記長さ要件は、３０ビットであり、前記境界要件は、オクテットの倍数である、Ｃ１８に記載の方法。
［Ｃ２０］
前記フレームは、マルチプル局ブロック肯定応答（ＢＡ）フレームを備える、Ｃ１に記載の方法。
［Ｃ２１］
前記フレームは、トリガ・フレームを備える、Ｃ１に記載の方法。
［Ｃ２２］
前記フレームは、前記ＡＩＤフィールドの値を備え、それは、前記ＡＩＤフィールドのその値に後続する１つまたは複数の制御フィールドの存在を指示する、Ｃ２１に記載の方法。
［Ｃ２３］
前記ＡＩＤフィールドの前記値は、２０４７である、Ｃ２２に記載の方法。
［Ｃ２４］
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示する、Ｃ１に記載の方法。
［Ｃ２５］
前記ＡＩＤごとのＴＩＤ情報フィールドは、前記選択された数の制御フィールドに関わる複数のバイトを指示するタイプ・フィールドを備える、Ｃ２４に記載の方法。
［Ｃ２６］
前記ＡＩＤごとのＴＩＤ情報フィールドは、前記ＡＩＤごとのＴＩＤ情報フィールドの前記ＡＩＤサブフィールドによって識別される前記ＳＴＡのための１つまたは複数の制御フィールドの前記存在を指示する前記ＴＩＤサブフィールドの値を備える、Ｃ２４に記載の方法。
［Ｃ２７］
ワイヤレス・ネットワークにおいて通信するためのデバイスであって、
可変数の制御フィールドから、フレームに含めるための１つまたは複数の制御フィールドを選択するように構成されたプロセッサと、前記プロセッサは、前記選択された数の制御フィールドを備える前記フレームを生成するようにさらに構成されており、
前記フレームを送信するように構成された送信機と、
を備える、デバイス。
［Ｃ２８］
各制御フィールドは、第１のフィールドをさらに備え、前記第１のフィールドは、前記制御フィールドのバリアントを備える前記制御フィールドを指示するインジケータを記憶する、Ｃ２７に記載のデバイス。
［Ｃ２９］
前記バリアントは、前記制御フィールドの超ハイ・スループット（ＶＨＴ）バリアントの高効率（ＨＥ）バリアントを備える、Ｃ２８に記載のデバイス。
［Ｃ３０］
各制御フィールドは、
制御識別子フィールドと、
制御情報フィールドと、をさらに備え、前記制御情報フィールドは、通信のための情報を含み、前記制御識別子フィールドは、前記情報のタイプを指示するインジケータを含む、Ｃ２７に記載のデバイス。
［Ｃ３１］
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて、前記フィードバック・フィールドのコンテンツは、前記チャネル／ＭＣＳ指示フィールドに基づき、ここにおいて、前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて制御情報フィールドは、ＣＲＣフィールドを備える、
のうちの少なくとも１つを指示する、Ｃ３０に記載のデバイス。
［Ｃ３２］
前記プロセッサは、物理レイヤ・コンバージェンス・プロシージャ（ＰＬＣＰ）プロトコル・データ・ユニット（ＰＰＤＵ）フレームの物理レイヤ・ヘッダ部分内で前記フレームを生成するようにさらに構成されており、ここにおいて前記物理レイヤ・ヘッダ部分は、信号フィールド、ロング・トレーニング・フィールドおよびショート・トレーニング・フィールドのうちの１つまたは複数を備える、Ｃ２７に記載のデバイス。
［Ｃ３３］
前記プロセッサは、前記１つまたは複数の制御フィールドを包含するアグリゲートされたメディア・アクセス制御プロトコル・データ・ユニット（Ａ−ＭＰＤＵ）サブフレーム内で前記フレームを生成するようにさらに構成されている、Ｃ２７に記載のデバイス。
［Ｃ３４］
前記制御識別子フィールドは、バッファ状態（ＢＳ）要求またはＢＳ報告を指示し、ここにおいて前記制御情報フィールドは、バッファ状態情報に対する要求またはバッファ状態情報についての報告を包含する１つまたは複数のサブフィールドを備える、Ｃ３０に記載のデバイス。
［Ｃ３５］
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、Ｃ３４に記載のデバイス。
［Ｃ３６］
前記制御識別子フィールドは、トリガ情報を指示し、ここにおいて、前記制御情報フィールドは、トリガ情報フィールドを備える、Ｃ３０に記載のデバイス。
［Ｃ３７］
前記トリガ情報フィールドは、局に関わるサブチャネル情報を指示するか、圧縮または非圧縮のアップリンク媒体アクセス制御（ＭＡＣ）フォーマットを指示する、Ｃ３６に記載のデバイス。
［Ｃ３８］
前記選択された数の制御フィールドは、第１のデバイスに宛てられた１つまたは複数の第１の制御フィールドおよび第２のデバイスに宛てられた１つまたは複数の第２の制御フィールドを備える、Ｃ２７に記載のデバイス。
［Ｃ３９］
前記１つまたは複数の第１の制御フィールドおよび前記１つまたは複数の第２の制御フィールドは、コード、周波数、または時間において多重化される、Ｃ２７に記載のデバイス。
［Ｃ４０］
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ２７に記載のデバイス。
［Ｃ４１］
前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ２７に記載のデバイス。
［Ｃ４２］
前記制御識別子フィールドは、アップリンク（ＵＬ）マルチユーザ（ＭＵ）応答スケジューリングを指示し、ここにおいて、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含む、Ｃ３０に記載のデバイス。
［Ｃ４３］
前記制御情報フィールドは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、Ｃ４２に記載のデバイス。
［Ｃ４４］
前記フレームは、前記１つまたは複数の制御フィールドの長さが長さ要件または境界要件を満たすように１つまたは複数の制御フィールドに後続するパディング・フィールドをさらに備える、Ｃ２７に記載のデバイス。
［Ｃ４５］
前記長さ要件は、３０ビットであり、前記境界要件は、オクテットの倍数である、Ｃ４４に記載のデバイス。
［Ｃ４６］
前記フレームは、マルチプル局ブロック肯定応答（ＢＡ）フレームを備える、Ｃ２７に記載のデバイス。
［Ｃ４７］
前記フレームは、トリガ・フレームを備える、Ｃ２７に記載のデバイス。
［Ｃ４８］
前記フレームは、前記ＡＩＤフィールドの値を備え、それは、前記ＡＩＤフィールドのその値に後続する１つまたは複数の制御フィールドの存在を指示する、Ｃ４７に記載のデバイス。
［Ｃ４９］
前記ＡＩＤフィールドの前記値は、２０４７である、Ｃ４８に記載のデバイス。
［Ｃ５０］
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示する、Ｃ２７に記載のデバイス。
［Ｃ５１］
前記ＡＩＤごとのＴＩＤ情報フィールドは、前記選択された数の制御フィールドに関わる複数のバイトを指示するタイプ・フィールドを備える、Ｃ５０に記載のデバイス。
［Ｃ５２］
前記ＡＩＤごとのＴＩＤ情報フィールドは、前記ＡＩＤごとのＴＩＤ情報フィールドの前記ＡＩＤサブフィールドによって識別される前記ＳＴＡのための１つまたは複数の制御フィールドの前記存在を指示する前記ＴＩＤサブフィールドの値を備える、Ｃ５０に記載のデバイス。
［Ｃ５３］
ワイヤレス・ネットワークにおいて通信するためのデバイスであって、
可変数の制御フィールドから、フレームに含めるための１つまたは複数の制御フィールドを選択するための手段と、
前記選択された数の制御フィールドを備える前記フレームを生成するための手段と、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信するための手段と、
を備える、デバイス。
［Ｃ５４］
実行されるとき、プロセッサにワイヤレス通信の方法を実施させる命令を備えるコンピュータ可読記憶媒体であって、前記方法は、
可変数の制御フィールドから、フレームに含めるための１つまたは複数の制御フィールドを選択することと、
前記選択された数の制御フィールドを備える前記フレームを生成することと、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信することと、
を備える、コンピュータ可読記憶媒体。